【手続補正書】
【提出日】平成24年6月29日(2012.6.29)
【手続補正１】
【補正対象書類名】特許請求の範囲
【補正対象項目名】全文
【補正方法】変更
【補正の内容】
【特許請求の範囲】
【請求項１】
可動要素に摩擦連結しかつ可動要素を少なくとも２つの方向のうちの１つに駆動するための少なくとも１つの点を有し、異なる共振周波数をそれぞれ有する少なくとも２つの曲げモードを有する構造と、
前記構造の前記曲げモードのそれぞれに対する、前記共振周波数のうちの１つと実質的に同一である振動周波数の、２つ以上の振動信号を印加する振動システムと
を備える、駆動システムであって、
前記振動周波数において、前記構造の前記曲げモードの一方が、実質的に共振振動し、前記構造の前記曲げモードの他方が、部分的に共振振動し、前記振動システムが、前記２つ以上の印加される振動信号間の位相シフトを調節して、前記少なくとも２つの方向のいずれに前記可動要素が移動されるかを制御する、前記駆動システム。
【請求項２】
前記構造が、非対称である、請求項１に記載のシステム。
【請求項３】
前記少なくとも１つの点が、実質的に前記構造の波腹点である、請求項１に記載のシステム。
【請求項４】
前記構造が、
特定の極性を確立するように分極され、かつ前記構造において対称的に設置されて、前記振動システムが前記２つ以上の振動信号のうちの少なくとも１つを印加した際に、前記構造における前記２つの曲げモードのうちの少なくとも１つを生成する、少なくとも２つの圧電領域
を備える、請求項１に記載のシステム。
【請求項５】
前記構造が、
特定の極性を確立するように分極され、かつ前記構造において対称的に設置されて、前記振動システムが前記２つ以上の振動信号を印加した際に、前記構造において前記少なくとも２つの曲げモードを生成する、少なくとも４つの圧電領域
を備える、請求項１に記載のシステム。
【請求項６】
前記圧電領域のうちの少なくとも２つが、前記圧電領域の少なくとも他の２つの間に配置される、請求項５に記載のシステム。
【請求項７】
前記構造が、
２つ以上の圧電層と、
各電極対が１つ以上の前記圧電層の対向する側面に連結される、電極の２つ以上の対と
を備える、請求項１に記載のシステム。
【請求項８】
部分的な共振で振動している前記曲げモードの他方が、前記構造が前記可動要素を駆動することができる前記少なくとも２つの方向のそれぞれと実質的に平行な方向に屈曲している、請求項１に記載のシステム。
【請求項９】
共振振動している前記曲げモードの一方が、前記構造が前記可動要素を駆動することができる前記少なくとも２つの方向のそれぞれと実質的に平行な方向に屈曲している、請求項１に記載のシステム。
【請求項１０】
可動要素に摩擦連結しかつ可動要素を少なくとも２つの方向のうちの１つに駆動するための少なくとも１つの点を有し、異なる共振周波数をそれぞれ有する少なくとも２つの曲げモードを有する構造を提供する工程と、
前記構造の前記曲げモードのそれぞれに対する、前記共振周波数のうちの１つと実質的に同一である振動周波数の、２つ以上の振動信号を印加する振動システムを連結する工程と
を含む、駆動システムを作製するための方法であって、
前記振動周波数において、前記構造の前記曲げモードの一方が、実質的に共振振動し、前記構造の前記曲げモードの他方が、部分的に共振振動し、前記振動システムが、前記２つ以上の印加される振動信号間の位相シフトを調節して、前記少なくとも２つの方向のいずれに前記可動要素が移動されるかを制御する、前記方法。
【請求項１１】
前記構造が、非対称である、請求項１０に記載の方法。
【請求項１２】
前記少なくとも１つの点が、実質的に前記構造の波腹点である、請求項１０に記載の方法。
【請求項１３】
前記構造が、
特定の極性を確立するように分極され、かつ前記構造において対称的に設置されて、前記振動システムが前記２つ以上の振動信号のうちの少なくとも１つを印加した際に、前記構造における前記２つの曲げモードのうちの少なくとも１つを生成する、少なくとも２つの圧電領域
を備える、請求項１０に記載の方法。
【請求項１４】
前記構造が、
特定の極性を確立するように分極され、かつ前記構造において対称的に設置されて、前記振動システムが前記２つ以上の振動信号を印加した際に、前記構造において前記少なくとも２つのモードを生成する、少なくとも４つの圧電領域
を備える、請求項１０に記載の方法。
【請求項１５】
前記圧電領域のうちの少なくとも２つが、前記圧電領域の少なくとも他の２つの間に配置される、請求項１４に記載の方法。
【請求項１６】
前記構造を提供する工程が、
２つ以上の圧電層を提供することと、
電極の２つ以上の対のそれぞれを、１つ以上の前記圧電層の対向する側面に連結することと
をさらに含む、請求項１０に記載の方法。
【請求項１７】
部分的な共振で振動している前記曲げモードの他方が、前記構造が前記可動要素を駆動することができる前記少なくとも２つの方向のそれぞれと実質的に平行な方向に屈曲している、請求項１０に記載の方法。
【請求項１８】
共振振動している、前記曲げモードの前記一方が、前記構造が前記可動要素を駆動することができる前記少なくとも２つの方向のそれぞれと実質的に平行な方向に屈曲している、請求項１０に記載の方法。
【請求項１９】
少なくとも１つの光学構成要素と、
１つ以上の方向に前記少なくとも１つの光学構成要素を移動させるように摩擦連結された、ある構造および振動システムを備える少なくとも１つの駆動システムであって、前記構造が、少なくとも２つの曲げモードを有し、前記曲げモードのそれぞれが、異なる共振周波数を有し、前記振動システムが、前記構造の前記曲げモードのそれぞれに対する振動周波数の、２つ以上の振動信号を印加し、前記振動周波数が、前記共振周波数のうちの１つと実質的に同一であり、前記振動周波数において、前記構造の前記曲げモードの一方が、実質的に共振振動し、前記構造の前記曲げモードの他方が、部分的に共振振動し、前記振動システムが、前記２つ以上の印加される振動信号間の位相シフトを調節して、前記少なくとも２つの方向のいずれに前記光学要素が移動されるかを制御する、駆動システムと
を備える、光学システム。
【請求項２０】
前記構造が、非対称である、請求項１９に記載のシステム。
【請求項２１】
前記少なくとも１つの点が、実質的に前記構造の波腹点である、請求項１９に記載のシステム。
【請求項２２】
前記構造が、
特定の極性を確立するように分極され、かつ前記構造において対称的に設置されて、前記振動システムが前記２つ以上の振動信号のうちの少なくとも１つを印加した際に、前記構造における前記２つの曲げモードのうちの少なくとも１つを生成する、少なくとも２つの圧電領域
を備える、請求項１９に記載のシステム。
【請求項２３】
前記構造が、
特定の極性を確立するように分極され、かつ前記構造において対称的に設置されて、前記振動システムが前記２つ以上の振動信号を印加した際に、前記構造において前記少なくとも２つの曲げモードを生成する、少なくとも４つの圧電領域
を備える、請求項１９に記載のシステム。
【請求項２４】
前記圧電領域のうちの少なくとも２つが、前記圧電領域の少なくとも他の２つの間に配置される、請求項２３に記載のシステム。
【請求項２５】
前記構造が、
２つ以上の圧電層と、
各電極対が１つ以上の前記圧電層の対向する側面に連結される、電極の２つ以上の対と
を備える、請求項１９に記載のシステム。
【請求項２６】
部分的な共振で振動している前記曲げモードのうちの他方が、前記構造が前記可動要素を駆動することができる前記少なくとも２つの方向のそれぞれと実質的に平行な方向に屈曲している、請求項１９に記載のシステム。
【請求項２７】
共振振動している前記曲げモードの前記一方が、前記構造が前記可動要素を駆動することができる前記少なくとも２つの方向のそれぞれと実質的に平行な方向に屈曲している、請求項１９に記載のシステム。
【手続補正２】
【補正対象書類名】明細書
【補正対象項目名】０００９
【補正方法】変更
【補正の内容】
【０００９】
本発明は、より効果的かつ効率的な準共振駆動システムを提供することを含め、いくつかの利点をもたらす。一例にすぎないが、カメラにおけるオートフォーカスシステムおよびオートズームシステム等、種々の異なる用途において、準共振駆動システムを使用して、種々の異なる負荷を移動させることが可能である。
[本発明1001]
可動要素に摩擦連結しかつ可動要素を少なくとも2つの方向のうちの1つに駆動するための少なくとも1つの点を有し、異なる共振周波数をそれぞれ有する少なくとも2つの曲げモードを有する構造と、
前記構造の前記曲げモードのそれぞれに対する、前記共振周波数のうちの1つと実質的に同一である振動周波数の、2つ以上の振動信号を印加する振動システムと
を備える、駆動システムであって、
前記振動周波数において、前記構造の前記曲げモードの一方が、実質的に共振振動し、前記構造の前記曲げモードの他方が、部分的に共振振動し、前記振動システムが、前記2つ以上の印加される振動信号間の位相シフトを調節して、前記少なくとも2つの方向のいずれに前記可動要素が移動されるかを制御する、前記駆動システム。
[本発明1002]
前記構造が、非対称である、本発明1001のシステム。
[本発明1003]
前記少なくとも1つの点が、実質的に前記構造の波腹点である、本発明1001のシステム。
[本発明1004]
前記構造が、
特定の極性を確立するように分極され、かつ前記構造において対称的に設置されて、前記振動システムが前記2つ以上の振動信号のうちの少なくとも1つを印加した際に、前記構造における前記2つの曲げモードのうちの少なくとも1つを生成する、少なくとも2つの圧電領域
を備える、本発明1001のシステム。
[本発明1005]
前記構造が、
特定の極性を確立するように分極され、かつ前記構造において対称的に設置されて、前記振動システムが前記2つ以上の振動信号を印加した際に、前記構造において前記少なくとも2つの曲げモードを生成する、少なくとも4つの圧電領域
を備える、本発明1001のシステム。
[本発明1006]
前記圧電領域のうちの少なくとも2つが、前記圧電領域の少なくとも他の2つの間に配置される、本発明1005のシステム。
[本発明1007]
前記構造が、
2つ以上の圧電層と、
各電極対が1つ以上の前記圧電層の対向する側面に連結される、電極の2つ以上の対と
を備える、本発明1001のシステム。
[本発明1008]
部分的な共振で振動している前記曲げモードの他方が、前記構造が前記可動要素を駆動することができる前記少なくとも2つの方向のそれぞれと実質的に平行な方向に屈曲している、本発明1001のシステム。
[本発明1009]
共振振動している前記曲げモードの一方が、前記構造が前記可動要素を駆動することができる前記少なくとも2つの方向のそれぞれと実質的に平行な方向に屈曲している、本発明1001のシステム。
[本発明1010]
可動要素に摩擦連結しかつ可動要素を少なくとも2つの方向のうちの1つに駆動するための少なくとも1つの点を有し、異なる共振周波数をそれぞれ有する少なくとも2つの曲げモードを有する構造を提供する工程と、
前記構造の前記曲げモードのそれぞれに対する、前記共振周波数のうちの1つと実質的に同一である振動周波数の、2つ以上の振動信号を印加する振動システムを連結する工程と
を含む、駆動システムを作製するための方法であって、
前記振動周波数において、前記構造の前記曲げモードの一方が、実質的に共振振動し、前記構造の前記曲げモードの他方が、部分的に共振振動し、前記振動システムが、前記2つ以上の印加される振動信号間の位相シフトを調節して、前記少なくとも2つの方向のいずれに前記可動要素が移動されるかを制御する、前記方法。
[本発明1011]
前記構造が、非対称である、本発明1010の方法。
[本発明1012]
前記少なくとも1つの点が、実質的に前記構造の波腹点である、本発明1010の方法。
[本発明1013]
前記構造が、
特定の極性を確立するように分極され、かつ前記構造において対称的に設置されて、前記振動システムが前記2つ以上の振動信号のうちの少なくとも1つを印加した際に、前記構造における前記2つの曲げモードのうちの少なくとも1つを生成する、少なくとも2つの圧電領域
を備える、本発明1010の方法。
[本発明1014]
前記構造が、
特定の極性を確立するように分極され、かつ前記構造において対称的に設置されて、前記振動システムが前記2つ以上の振動信号を印加した際に、前記構造において前記少なくとも2つのモードを生成する、少なくとも4つの圧電領域
を備える、本発明1010の方法。
[本発明1015]
前記圧電領域のうちの少なくとも2つが、前記圧電領域の少なくとも他の2つの間に配置される、本発明1014の方法。
[本発明1016]
前記構造を提供する工程が、
2つ以上の圧電層を提供することと、
電極の2つ以上の対のそれぞれを、1つ以上の前記圧電層の対向する側面に連結することと
をさらに含む、本発明1010の方法。
[本発明1017]
部分的な共振で振動している前記曲げモードの他方が、前記構造が前記可動要素を駆動することができる前記少なくとも2つの方向のそれぞれと実質的に平行な方向に屈曲している、本発明1010の方法。
[本発明1018]
共振振動している、前記曲げモードの前記一方が、前記構造が前記可動要素を駆動することができる前記少なくとも2つの方向のそれぞれと実質的に平行な方向に屈曲している、本発明1010の方法。
[本発明1019]
少なくとも1つの光学構成要素と、
1つ以上の方向に前記少なくとも1つの光学構成要素を移動させるように摩擦連結された、ある構造および振動システムを備える少なくとも1つの駆動システムであって、前記構造が、少なくとも2つの曲げモードを有し、前記曲げモードのそれぞれが、異なる共振周波数を有し、前記振動システムが、前記構造の前記曲げモードのそれぞれに対する振動周波数の、2つ以上の振動信号を印加し、前記振動周波数が、前記共振周波数のうちの1つと実質的に同一であり、前記振動周波数において、前記構造の前記曲げモードの一方が、実質的に共振振動し、前記構造の前記曲げモードの他方が、部分的に共振振動し、前記振動システムが、前記2つ以上の印加される振動信号間の位相シフトを調節して、前記少なくとも2つの方向のいずれに前記光学要素が移動されるかを制御する、駆動システムと
を備える、光学システム。
[本発明1020]
前記構造が、非対称である、本発明1019のシステム。
[本発明1021]
前記少なくとも1つの点が、実質的に前記構造の波腹点である、本発明1019のシステム。
[本発明1022]
前記構造が、
特定の極性を確立するように分極され、かつ前記構造において対称的に設置されて、前記振動システムが前記2つ以上の振動信号のうちの少なくとも1つを印加した際に、前記構造における前記2つの曲げモードのうちの少なくとも1つを生成する、少なくとも2つの圧電領域
を備える、本発明1019のシステム。
[本発明1023]
前記構造が、
特定の極性を確立するように分極され、かつ前記構造において対称的に設置されて、前記振動システムが前記2つ以上の振動信号を印加した際に、前記構造において前記少なくとも2つの曲げモードを生成する、少なくとも4つの圧電領域
を備える、本発明1019のシステム。
[本発明1024]
前記圧電領域のうちの少なくとも2つが、前記圧電領域の少なくとも他の2つの間に配置される、本発明1023のシステム。
[本発明1025]
前記構造が、
2つ以上の圧電層と、
各電極対が1つ以上の前記圧電層の対向する側面に連結される、電極の2つ以上の対と
を備える、本発明1019のシステム。
[本発明1026]
部分的な共振で振動している前記曲げモードのうちの他方が、前記構造が前記可動要素を駆動することができる前記少なくとも2つの方向のそれぞれと実質的に平行な方向に屈曲している、本発明1019のシステム。
[本発明1027]
共振振動している前記曲げモードの前記一方が、前記構造が前記可動要素を駆動することができる前記少なくとも2つの方向のそれぞれと実質的に平行な方向に屈曲している、本発明1019のシステム。